(57)【要約】【課題】入力映像信号の種類によって処理内容が異なる入力モジュールが装着される映像切替装置において、入力設定を現在の入力映像信号に応じて変更する際の手間や時間を少なくする。【解決手段】制御手段３１は、過去の入力設定データが示す入力モジュールの種類と、現在装着されている入力モジュールの種類とが一致せず、入力映像信号の種類によって処理内容が異なる入力モジュール４が現在装着されている場合に、入力モジュール４に入力している映像信号の種類を判別し、判別した種類に応じた処理を入力モジュール４に実行させる。【選択図】図６
2008072235.tif 000002
【特許請求の範囲】
【請求項１】
映像信号入力用の入力モジュールを装着するための複数のスロットを有し、
各々の前記スロットには、
所定の複数種類の映像信号のうちの任意の１種類の映像信号を入力可能であるとともに入力映像信号の種類によって処理内容が異なる第１の入力モジュールと、
所定の１種類のみの映像信号を入力可能な第２の入力モジュールと
のうちの任意の１つの入力モジュールを装着可能であり、
前記スロットに装着された入力モジュールに入力される複数チャンネルの映像信号を切り替えて出力する映像切替装置において、
各々の前記スロットにそれぞれどの種類の入力モジュールが装着されてどの種類の映像信号が入力されているかを示す入力設定データを記憶手段に記憶させる入力設定データ記憶処理手段と、
前記記憶手段から前記入力設定データを読み出し、読み出した前記入力設定データが示す入力モジュールの種類と、現在装着されている入力モジュールの種類とが一致しないスロットを検出する検出手段と、
前記検出手段によって検出されたスロットに現在装着されている入力モジュールが前記第１の入力モジュールである場合、該第１の入力モジュールに入力している映像信号の種類を判別し、判別した映像信号の種類に応じた処理を該第１の入力モジュールに実行させる入力設定変更手段と
を備えたことを特徴とする映像切替装置。
【請求項２】
請求項１に記載の映像切替装置において、
前記入力設定データは、各々の前記スロットからの映像信号をそれぞれ表示手段の画面上のどの領域に表示させるかを示すデータを含み、
前記データに基づき、各々の前記スロットに装着された入力モジュールへの入力映像信号をそれぞれ前記表示手段の画面上の一部ずつの領域に表示させる入力映像表示処理手段
をさらに備え、
前記入力設定変更手段は、前記検出手段によって一致しないと検出されたスロットが存在する場合、前記入力設定データにおいて該スロットに装着されていた入力モジュールと同じ種類の入力モジュールが現在装着されているスロットを探し、みつかったスロットからの映像信号を、前記入力設定データにおいて前記検出されたスロットからの映像信号が表示されていた前記表示手段の画面上の領域に表示させる
ことを特徴とする映像切替装置。
【請求項３】
映像信号入力用の入力モジュールを装着するための複数のスロットを有し、
各々の前記スロットには、
所定の複数種類の映像信号のうちの任意の１種類の映像信号を入力可能であるとともに入力映像信号の種類によって処理内容が異なる第１の入力モジュールと、
所定の１種類のみの映像信号を入力可能な第２の入力モジュールと
のうちの任意の１つの入力モジュールを装着可能であり、
前記スロットに装着された入力モジュールに入力される複数チャンネルの映像信号を切り替えて出力する映像切替装置における映像信号の入力設定方法において、
前記映像切替装置に設けられた制御手段が、各々の前記スロットにそれぞれどの種類の入力モジュールが装着されていてどの種類の映像信号が入力されているかを示す入力設定データを記憶手段に記憶させる第１のステップと、
前記制御手段が、前記記憶手段から前記入力設定データを読み出し、読み出した前記入力設定データが示す入力モジュールの種類と、現在装着されている入力モジュールの種類とが一致しないスロットを検出する第２のステップと、
前記第２のステップで検出されたスロットに現在装着されている入力モジュールが前記第１の入力モジュールである場合、前記制御手段が、該第１の入力モジュールに入力している映像信号の種類を判別し、判別した映像信号の種類に応じた処理を該第１の入力モジュールに実行させる第３のステップと
を有することを特徴とする入力設定方法。
【請求項４】
映像信号入力用の入力モジュールを装着するための複数のスロットを有し、
各々の前記スロットには、
所定の複数種類の映像信号のうちの任意の１種類の映像信号を入力可能であるとともに入力映像信号の種類によって処理内容が異なる第１の入力モジュールと、
所定の１種類のみの映像信号を入力可能な第２の入力モジュールと
のうちの任意の１つの入力モジュールを装着可能であり、
前記スロットに装着された入力モジュールに入力される複数チャンネルの映像信号を切り替えて出力する映像切替装置において、
各々の前記スロットにそれぞれどの種類の入力モジュールが装着されていてどの種類の映像信号が入力されているかを示す入力設定データを記憶手段に記憶させる入力設定データ記憶処理手段と、
前記記憶手段から前記入力設定データを読み出し、読み出した前記入力設定データが示す入力モジュールの種類と、現在装着されている入力モジュールの種類とが一致しないスロットを検出する検出手段と、
前記検出手段によって検出されたスロットに現在装着されている入力モジュールが前記第１の入力モジュールである場合、該第１の入力モジュールに入力している映像信号の種類を判別し、判別した映像信号の種類を示す情報を表示手段の画面上に表示させる情報表示処理手段と
を備えたことを特徴とする映像切替装置。
【請求項５】
請求項４に記載の映像切替装置において、
前記入力設定データは、各々の前記スロットからの映像信号をそれぞれ表示手段の画面上のどの領域に表示させるかを示すデータを含み、
前記データに基づき、各々の前記スロットに装着された入力モジュールへの入力映像信号をそれぞれ前記表示手段の画面上の一部ずつの領域に表示させる入力映像表示処理手段
をさらに備え、
前記情報表示処理手段は、前記検出手段によって一致しないと検出されたスロットが存在する場合、前記入力設定データにおいて該スロットに装着されていた入力モジュールと同じ種類の入力モジュールが現在装着されているスロットを探し、みつかったスロットを示す情報を、前記表示手段の画面上にさらに表示させる
ことを特徴とする映像切替装置。
【請求項６】
映像信号入力用の入力モジュールを装着するための複数のスロットを有し、
各々の前記スロットには、
所定の複数種類の映像信号のうちの任意の１種類の映像信号を入力可能であるとともに入力映像信号の種類によって処理内容が異なる第１の入力モジュールと、
所定の１種類のみの映像信号を入力可能な第２の入力モジュールと
のうちの任意の１つの入力モジュールを装着可能であり、
前記スロットに装着された入力モジュールに入力される複数チャンネルの映像信号を切り替えて出力する映像切替装置における、映像信号の入力設定方法において、
前記映像切替装置に設けられた制御手段が、各々の前記スロットにそれぞれどの種類の入力モジュールが装着されていてどの種類の映像信号が入力されているかを示す入力設定データを記憶手段に記憶させる第１のステップと、
前記制御手段が、前記記憶手段から前記入力設定データを読み出し、読み出した前記入力設定データが示す入力モジュールの種類と、現在装着されている入力モジュールの種類とが一致しないスロットを検出する第２のステップと、
前記第２のステップで検出されたスロットに現在装着されている入力モジュールが前記第１の入力モジュールである場合、前記制御手段が、該第１の入力モジュールに入力している映像信号の種類を判別し、判別した映像信号の種類を示す情報を表示手段の画面上に表示させる第３のステップと
を有することを特徴とする入力設定方法。
【発明の詳細な説明】
【技術分野】
【０００１】
本発明は、複数チャンネルの入力映像信号を切り替えて出力する装置に関し、特に、様々な種類の映像信号が入力されるものに関する。
【背景技術】
【０００２】
映像コンテンツを制作するための機器として、ビデオスイッチャ（映像切替装置）が存在している。ビデオスイッチャは、複数チャンネルの映像信号を入力し、それらの映像信号を切り替えて出力したり、切替時に映像の加工（ワイプ等のエフェクトや、キーイング）を行う装置である。
【０００３】
テレビジョン放送局では据置き型のビデオスイッチャが用いられているが、可搬型のビデオスイッチャも存在する（例えば、非特許文献１参照）。可搬型のビデオスイッチャは、映像の切替や加工を行う処理部と、各種操作を行う操作部と、入力映像の表示等を行う表示部とを一体化したものである。この可搬型のビデオスイッチャは、例えば、イベント等が行われる各地の会場に持ち運んでそのイベント等の様子を紹介する映像コンテンツを制作するために使用することができる。
【０００４】
ところで、イベント等の会場では、会場によって異なる機種のビデオカメラが使用されることや、映像信号を出力するためにパーソナルコンピュータが使用されることが少なくない。そのため、可搬型のビデオスイッチャには、使用されるビデオカメラやパーソナルコンピュータに合わせて、コンポジット，Ｓ−Ｖｉｄｅｏ，ＤＶ（Digital Video），ＲＧＢといった様々な信号の映像信号を入力できるようにすることが要求される。
【０００５】
例えば、上記非特許文献１に掲載のビデオスイッチャ（以下、「従来のビデオスイッチャ」と呼ぶ）では、こうした要求に応えるため、映像信号入力用の入力モジュールを装着するための複数のスロットを設け、且つ、これらのスロットに装着可能な入力モジュールとして、次の（ａ）〜（ｃ）の３種類のモジュールを用意している。
（ａ）コンポジット信号，Ｓ−Ｖｉｄｅｏ信号，ＤＶ信号の３種類の映像信号のうちの任意の１種類の映像信号を入力するためのＳＤモジュール
（ｂ）ＲＧＢ信号入力用のＰＣモジュール
（ｃ）ＳＤＩ信号（ＳＭＰＴＥ２５９Ｍによるシリアル・デジタルビデオ信号）入力用のＳＤＩモジュール
【０００６】
また、従来のビデオスイッチャには、ユーザーによるセットアップの内容を示すデータを一括して記憶し、後でそのデータを読み出して利用する（さらに、そのデータを小型メモリカードに記憶させて、別のビデオスイッチャでも利用可能にする）機能が設けられている。この機能の対象となるセットアップ内容には、“各スロットにそれぞれどの種類の入力モジュールを装着してどの種類の映像信号を入力させるか”という入力設定も含まれている。
【０００７】
ところが、この機能によって過去の入力設定を利用しようとしても、前述のように、ビデオスイッチャへの入力映像信号の種類は、使用されるビデオカメラやパーソナルコンピュータに依存するので、スロット内の入力モジュールが、他の種類の入力モジュールに交換されていることが少なくない。また、別のビデオスイッチャでこの入力設定を利用する場合には、元々この入力設定とは異なる種類の入力モジュールが装着されていることが少なくない。
【０００８】
そこで、従来のビデオスイッチャでは、過去の入力設定とは異なる種類の入力モジュールが装着されている場合に、強制的に入力設定を変更する処理を行うようになっていた。
【０００９】
図１は、この入力設定変更処理の内容を示す図である。上端の行の各欄には、それぞれ読み出した過去の入力設定データによる入力映像信号の種類を示している。左端の列の各欄には、それぞれ現在装着されている入力モジュールの種類を示している。上端の行の各欄と左端の列の各欄とが交差する箇所には、それぞれ入力設定の変更内容を示している。
【００１０】
図１において太枠で区別しているように、過去の入力設定による入力映像信号の種類がＲＧＢまたはＳＤＩ（すなわちＳＤモジュール以外の入力モジュールに入力される映像信号）であり、且つ、現在装着されている入力モジュールがＳＤモジュールである場合には、入力設定はコンポジット信号に変更される。これは、ＳＤモジュール内での処理が入力映像信号の種類によって異なる（コンポジット信号やＳ−Ｖｉｄｅｏ信号の場合には輝度／色差分離処理及びアナログ／デジタル変換処理によってデジタルコンポーネント信号に変換するのに対し、ＤＶ信号の場合にはＤＶコーデックでデジタルコンポーネント信号に変換し、さらに、コンポジット信号とＳ−Ｖｉｄｅｏ信号とでは輝度／色差分離処理も異なる）ので、デフォルト（初期設定）として、ＳＤモジュール内でコンポジット信号用の処理を実行させるような設定を行うようにしたものである。
【００１１】
【非特許文献１】ソニー(株）  ““Ｌｉｖｅ  Ｃｏｎｔｅｎｔ  Ｐｕｒｏｄｕｃｅｒ  ＡＷＳ−Ｇ５００”２００５年１１月
【発明の開示】
【発明が解決しようとする課題】
【００１２】
ところが、図１の太枠に示したように入力設定がコンポジット信号に変更されても、現在使用されているビデオカメラの機種によっては、ＳＤモジュールにＳ−Ｖｉｄｅｏ信号やＤＶ信号が入力される。そうした場合、入力設定がコンポジット信号なので、ＳＤモジュール内でＳ−Ｖｉｄｅｏ信号やＤＶ信号を処理できない、その結果、ビデオスイッチャでは、そのＳ−Ｖｉｄｅｏ信号やＤＶ信号の画像を表示部に表示させることや、そのＳ−Ｖｉｄｅｏ信号やＤＶ信号を切り替えて出力することができなくなる。
【００１３】
図２は、そうした状態を例示した図である。図２（ａ）のように、スロットＡ，スロットＢにそれぞれＳＤＩモジュール，ＰＣモジュールが装着され、スロットＡ，スロットＢからの映像信号の画像をそれぞれ表示部５１の画面の一部ずつの領域５２，５３に表示させている状態で記憶した入力設定を、図２（ｂ）のように、スロットＡ，スロットＢ内の入力モジュールがそれぞれＳＤモジュール，ＳＤモジュールに交換された後で読み出した（あるいは、スロットＡ，スロットＢにそれぞれＳＤモジュール，ＳＤモジュールが装着されている別のビデオスイッチャで読み出した）場合において、スロットＡ，スロットＢのＳＤモジュール，ＳＤモジュールにそれぞれコンポジット信号，Ｓ−Ｖｉｄｅｏ信号が入力されたとする。
【００１４】
すると、スロットＡのＳＤモジュールでは、入力映像信号の種類が図１の入力設定変更処理によるコンポジット信号と一致するので、入力されるコンポジット信号を処理できるのに対し、スロットＢのＳＤモジュールでは、入力映像信号の種類が図１の入力設定変更処理によるコンポジット信号と一致しないので、入力したＳ−Ｖｉｄｅｏ信号を処理できない。その結果、図２（ｂ）に示すように、スロットＡからの映像信号の画像は表示部５１の領域５２に表示されるが、スロットＢからの映像信号の画像は表示部５１の領域５３に表示されなくなる。
【００１５】
このような状態で、スロットＢからの映像信号の画像を表示させたりスロットＢからの映像信号を切り替えて出力するためには、従来は、ユーザーが、スロットＢに装着されているＳＤモジュールにＳ−Ｖｉｄｅｏ信号が入力されていることをそのＳＤモジュールとビデオカメラとの接続状態等から確認した上で、操作部を操作して手動でスロットＢの入力設定をＳ−Ｖｉｄｅｏ信号に変更しなければならなかった。そのため、その確認作業等に手間と時間がかかっていた。
【００１６】
本発明は、上述の点に鑑み、この従来のビデオスイッチャにおけるＳＤモジュールのような、入力映像信号の種類によって処理内容が異なる入力モジュールが装着される映像切替装置において、入力設定を現在の入力映像信号に応じて変更する際の手間や時間を少なくすることを課題とする。
【課題を解決するための手段】
【００１７】
この課題を解決するために、本発明に係る第１の映像切替装置は、映像信号入力用の入力モジュールを装着するための複数のスロットを有し、各々のこのスロットには、所定の複数種類の映像信号のうちの任意の１種類の映像信号を入力可能であるとともに入力映像信号の種類によって処理内容が異なる第１の入力モジュールと、所定の１種類のみの映像信号を入力可能な第２の入力モジュールとのうちの任意の１つの入力モジュールを装着可能であり、これらのスロットに装着された入力モジュールに入力される複数チャンネルの映像信号を切り替えて出力する映像切替装置において、各々のこのスロットにそれぞれどの種類の入力モジュールが装着されていてどの種類の映像信号が入力されているかを示す入力設定データを記憶手段に記憶させる入力設定データ記憶処理手段と、この記憶手段からこの入力設定データを読み出し、読み出したこの入力設定データが示す入力モジュールの種類と、現在装着されている入力モジュールの種類とが一致しないスロットを検出する検出手段と、この検出手段によって検出されたスロットに現在装着されている入力モジュールがこの第１の入力モジュールである場合、その第１の入力モジュールに入力している映像信号の種類を判別し、判別した映像信号の種類に応じた処理をその第１の入力モジュールに実行させる入力設定変更手段とを備えたことを特徴とする。
【００１８】
また、本発明に係る第１の入力設定方法は、映像信号入力用の入力モジュールを装着するための複数のスロットを有し、各々のこのスロットには、所定の複数種類の映像信号のうちの任意の１種類の映像信号を入力可能であるとともに入力映像信号の種類によって処理内容が異なる第１の入力モジュールと、所定の１種類のみの映像信号を入力可能な第２の入力モジュールとのうちの任意の１つの入力モジュールを装着可能であり、これらのスロットに装着された入力モジュールに入力される複数チャンネルの映像信号を切り替えて出力する映像切替装置における映像信号の入力設定方法において、この映像切替装置に設けられた制御手段が、各々のこのスロットにそれぞれどの種類の入力モジュールが装着されていてどの種類の映像信号が入力されているかを示す入力設定データを記憶手段に記憶させる第１のステップと、この制御手段が、この記憶手段からこの入力設定データを読み出し、読み出したこの入力設定データが示す入力モジュールの種類と、現在装着されている入力モジュールの種類とが一致しないスロットを検出する第２のステップと、この第２のステップで検出されたスロットに現在装着されている入力モジュールがこの第１の入力モジュールである場合、この制御手段が、その第１の入力モジュールに入力している映像信号の種類を判別し、判別した映像信号の種類に応じた処理をその第１の入力モジュールに実行させる第３のステップとを有することを特徴とする。
【００１９】
上記発明によれば、前述の従来のビデオスイッチャにおけるのと同様に過去の入力設定データを記憶して後で利用することができるが、過去の入力設定データとは異なる入力モジュールが現在装着されており、且つ、その入力モジュールが、入力映像信号の種類によって処理内容が異なる入力モジュールである場合には、その入力モジュールに入力している映像信号の種類が自動的に判別されて、判別された種類に応じた処理がその入力モジュールによって自動的に実行される。したがって、ユーザーが現在の入力映像信号の種類の確認作業や手動による操作を行うことなく、現在の入力映像信号の種類に応じて入力設定が自動的に変更される。
【００２０】
次に、本発明に係る第２の映像切替装置は、映像信号入力用の入力モジュールを装着するための複数のスロットを有し、各々のこのスロットには、所定の複数種類の映像信号のうちの任意の１種類の映像信号を入力可能であるとともに入力映像信号の種類によって処理内容が異なる第１の入力モジュールと、所定の１種類のみの映像信号を入力可能な第２の入力モジュールとのうちの任意の１つの入力モジュールを装着可能であり、これらのスロットに装着された入力モジュールに入力される複数チャンネルの映像信号を切り替えて出力する映像切替装置において、各々のこのスロットにそれぞれどの種類の入力モジュールが装着されていてどの種類の映像信号が入力されているかを示す入力設定データを記憶手段に記憶させる入力設定データ記憶処理手段と、この記憶手段からこの入力設定データを読み出し、読み出したこの入力設定データが示す入力モジュールの種類と、現在装着されている入力モジュールの種類とが一致しないスロットを検出する検出手段と、この検出手段によって検出されたスロットに現在装着されている入力モジュールがこの第１の入力モジュールである場合、その第１の入力モジュールに入力している映像信号の種類を判別し、判別した映像信号の種類を示す情報を表示手段の画面上に表示させる情報表示処理手段とを備えたことを特徴とする。
【００２１】
また、本発明に係る第２の入力設定方法は、映像信号入力用の入力モジュールを装着するための複数のスロットを有し、各々のこのスロットには、所定の複数種類の映像信号のうちの任意の１種類の映像信号を入力可能であるとともに入力映像信号の種類によって処理内容が異なる第１の入力モジュールと、所定の１種類のみの映像信号を入力可能な第２の入力モジュールとのうちの任意の１つの入力モジュールを装着可能であり、これらのスロットに装着された入力モジュールに入力される複数チャンネルの映像信号を切り替えて出力する映像切替装置における映像信号の入力設定方法において、この映像切替装置に設けられた制御手段が、各々のこのスロットにそれぞれどの種類の入力モジュールが装着されていてどの種類の映像信号が入力されているかを示す入力設定データを記憶手段に記憶させる第１のステップと、この制御手段が、この記憶手段からこの入力設定データを読み出し、読み出したこの入力設定データが示す入力モジュールの種類と、現在装着されている入力モジュールの種類とが一致しないスロットを検出する第２のステップと、この第２のステップで検出されたスロットに現在装着されている入力モジュールがこの第１の入力モジュールである場合、この制御手段が、その第１の入力モジュールに入力している映像信号の種類を判別し、判別した映像信号の種類を示す情報を表示手段の画面上に表示させる第３のステップとを有することを特徴とする。
【００２２】
上記発明によれば、前述の従来のビデオスイッチャにおけるのと同様に過去の入力設定データを記憶して後で利用することができるが、過去の入力設定データとは異なる入力モジュールが現在装着されており、且つ、その入力モジュールが、入力映像信号の種類によって処理内容が異なる入力モジュールである場合には、その入力モジュールに入力している映像信号の種類が自動的に判別されて、判別された種類を示す情報が表示される。したがって、ユーザーは、その表示を見ることによって現在の入力映像信号の種類を容易且つ瞬時に確認して、入力設定を変更する操作を行うことができる。
【発明の効果】
【００２３】
本発明に係る第１の映像切替装置，第１の入力設定方法によれば、入力映像信号の種類によって処理内容が異なる入力モジュールが装着される映像切替装置において、過去の入力設定を利用することができるとともに、ユーザーが現在の入力映像信号の種類の確認作業や手動による操作を行うことなく、現在の入力映像信号の種類に応じて入力設定を自動的に変更することができるという効果が得られる。
【００２４】
本発明に係る第２の映像切替装置，第２の入力設定方法によれば、入力映像信号の種類によって処理内容が異なる入力モジュールが装着される映像切替装置において、過去の入力設定を利用することができるとともに、ユーザーが、現在の入力映像信号の種類を容易且つ瞬時に確認して、入力設定を変更する操作を行うことができるという効果が得られる。
【発明を実施するための最良の形態】
【００２５】
以下、本発明を可搬型のビデオスイッチャに適用した実施の形態について、図面を用いて具体的に説明する。図３は、本発明が適用される可搬型のビデオスイッチャの全体の外観を示す斜視図である。このビデオスイッチャ１は、ノート型のパーソナルコンピュータを一回り大きくしたような形状及び大きさをしており、例えば、イベント等が行われる各地の会場に持ち運び、ビデオカメラやパーソナルコンピュータからの映像信号を入力して、そのイベント等の様子を紹介する映像コンテンツを制作するために使用することができる。
【００２６】
ビデオスイッチャ１には、ノート型パーソナルコンピュータのキーボード部分に相当する位置に、セットアップ，セットアップ内容の保存及び呼び出し，設定の変更，入力映像の選択，映像の切替，エフェクトの選択，映像の出力形態の選択等の各種の操作を行うための操作部２が設けられている。また、ビデオスイッチャ１には、ノート型パーソナルコンピュータにおけるのと同様にして液晶ディスプレイ３が設けられている。
【００２７】
ビデオスイッチャ１の背面側には、映像信号入力用の入力モジュールを装着するための３つのスロットが設けられている。図４は、これらのスロットを、入力モジュールとともに示す図である。３つのスロットSlot１，Slot２，Slot３には、それぞれＳＤモジュール４，ＰＣモジュール５，ＳＤＩモジュール６という３種類の入力モジュールのうちの任意の１種類の入力モジュールを装着することができる。
【００２８】
ＳＤモジュール４は、コンポジット信号，Ｓ−Ｖｉｄｅｏ信号をそれぞれ２チャンネル分ずつ入力するための端子４ａ及び４ｂ，端子４ｃ及び４ｄと、ＤＶ信号を２チャンネル分ずつ入出力するための端子４ｅ及び４ｆとを有しており、これらの３種類の映像信号のうちの任意の１種類の映像信号を２チャンネル分入力することができる。
【００２９】
ＰＣモジュール５は、ＲＧＢ信号を２チャンネル分入力するための端子５ａ及び５ｂを有している。ＳＤＩモジュール６は、ＳＤＩ信号（ＳＭＰＴＥ２５９Ｍによるシリアル・デジタルビデオ信号）を２チャンネル分入力するための端子６ａ及び６ｂと、ＳＤＩ信号を１チャンネル分出力するための端子６ｃとを有している。
【００３０】
図３に示した操作部２でのセットアップ及び設定変更の内容には、“各スロットSlot１，Slot２，Slot３にそれぞれどのＳＤモジュール４，ＰＣモジュール５，ＳＤＩモジュール６のうちのどの入力モジュールを装着してどの種類の映像信号を入力させるか”という入力設定も含まれている。
【００３１】
図３の液晶ディスプレイ３の画面の一部には、図４のスロットSlot１〜Slot３に装着された入力モジュールに入力されている合計６チャンネルの映像信号のサムネイル画像がそれぞれ表示される。図５は、このサムネイル画像の表示領域を示す図である。６つの領域Ａ１〜Ａ６に、１チャンネルずつの入力映像信号のサムネイル画像が表示される。
【００３２】
なお、液晶ディスプレイ３の画面には、これらの入力映像信号のうち操作部２の操作によって切替前の映像信号（ＰＧＭ信号），切替後の映像信号（ＮＥＸＴ信号）として選択された映像信号の画像が表示される領域や、操作のためのメニューが表示される領域も存在するが、本発明とは直接関係しないので図示を省略している。
【００３３】
図６は、このビデオスイッチャ１の主要部の内部構成を、図４のＳＤモジュール４，ＰＣモジュール５，ＳＤＩモジュール６の内部構成や、スロットSlot１〜Slot３に装着されたこれらの入力モジュールとビデオスイッチャ１との接続関係とともに示すブロック図である。
【００３４】
ＳＤモジュール４には、端子４ａ，４ｃまたは４ｅから入力したコンポジット信号，Ｓ−Ｖｉｄｅｏ信号またはＤＶ信号を処理するブロック４−１と、端子４ｂ，４ｄまたは４ｆから入力したコンポジット信号，Ｓ−Ｖｉｄｅｏ信号またはＤＶ信号を処理するブロック４−２とが設けられている。ＰＣモジュール５にも、端子５ａから入力したＲＧＢ信号を処理するブロック５−１と、端子５ｂから入力したＲＧＢ信号を処理するブロック５−２とが設けられている。ＳＤＩモジュール６にも、端子６ａから入力したＳＤＩ信号を処理するブロック６−１と、端子６ｂから入力したＳＤＩ信号を処理するブロック６−２とが設けられている。各入力モジュールの二つのブロックの内部構成は同一なので、代表して一方のブロックのみについてその構成を示している。
【００３５】
ＳＤモジュール４に端子４ａから入力したコンポジット信号や、ＳＤモジュール４に端子４ｃから入力したＳ−Ｖｉｄｅｏ信号は、Ａ／Ｄコンバータ１０に送られる。Ａ／Ｄコンバータ１０は、入力した映像信号を、同期検出処理，輝度／色差分離処理及びアナログ／デジタル変換処理によってデジタルコンポーネント信号（Ｄ１信号）に変換して、フレームシンクロナイザ＆リサイザ部１１に送る。
【００３６】
ＳＤモジュール４に端子４ｅから入力したＤＶ信号は、ＤＶコーデック１２に送られる。ＤＶコーデック１２は、入力したＤＶ信号を、同期検出処理及びデコード処理によってＤ１信号に変換して、フレームシンクロナイザ＆リサイザ部１１に送る。
【００３７】
フレームシンクロナイザ＆リサイザ部１１は、Ａ／Ｄコンバータ１０やＤＶコーデック１２からのＤ１信号を、ビデオスイッチャ１内の基準同期信号と同期をとった後、ビデオスイッチャ１の内部処理における統一画サイズである１２８０×１０２４ピクセル（ＳＶＧＡ）に画サイズ変換する。
【００３８】
フレームシンクロナイザ＆リサイザ部１１によって画サイズ変換されたＤ１信号は、フレームシンクロナイザ＆リサイザ部１１からビデオスイッチャ１内のクロスポイント部２１に送られるとともに、フレームシンクロナイザ＆リサイザ部１２からローカルＣＰＵ１３を介してビデオスイッチャ１内の画像コンバータ３０に送られる。
【００３９】
ＳＤモジュール４に端子４ｂ，４ｄまたは４ｆから入力したコンポジット信号，Ｓ−Ｖｉｄｅｏ信号またはＤＶ信号も、全く同様にして１２８０×１０２４ピクセルのＤ１信号に変換されて、ビデオスイッチャ１内のクロスポイント部２１及び画像コンバータ３０に送られる。
【００４０】
このＳＤモジュール４の処理内容は、入力する映像信号の種類によって異なっている。すなわち、コンポジット信号やＳ−Ｖｉｄｅｏ信号が入力する場合にはＡ／Ｄコンバータ１０でＤ１信号に変換するのに対し、ＤＶ信号の場合にはＤＶコーデック１２でＤ１信号に変換し、さらに、コンポジット信号とＳ−Ｖｉｄｅｏ信号とではＡ／Ｄコンバータ１０での輝度／色差分離処理も異なる。ＳＤモジュール４でどの種類の映像信号に応じた処理を行うかは、後述するように、ＳＤモジュール４がスロットSlot１〜Slot３のうちのどのスロットに装着されているかに応じて、ビデオスイッチャ１内のメインＣＰＵ３１によって制御される。
【００４１】
ＰＣモジュール５に端子５ａから入力したアナログＲＧＢ信号は、Ａ／Ｄコンバータ１４及びフレームシンクロナイザ＆リサイザ部１５によって１２８０×１０２４ピクセルのデジタルＲＧＢ信号に変換されて、フレームシンクロナイザ＆リサイザ部１５からビデオスイッチャ１内のクロスポイント部２１に送られるとともに、フレームシンクロナイザ＆リサイザ部１５からローカルＣＰＵ１６を介してビデオスイッチャ１内の画像コンバータ３０に送られる。
【００４２】
ＰＣモジュール５に端子５ｂから入力したアナログＲＧＢ信号も、全く同様にして１２８０×１０２４ピクセルのデジタルＲＧＢ信号に変換されて、ビデオスイッチャ１内のクロスポイント部２１及び画像コンバータ３０に送られる。
【００４３】
ＰＣモジュール５も、スロットSlot１〜Slot３のうちのどのスロットに装着されているかに応じてビデオスイッチャ１内のメインＣＰＵ３１によって制御される。
【００４４】
ＳＤＩモジュール６に端子６ａから入力したＳＤＩ信号は、Ｓ／Ｐ（シリアル／パラレル）コンバータ１７によってＤ１信号に変換された後、フレームシンクロナイザ＆リサイザ部１８によって１２８０×１０２４ピクセルに画サイズ変換されて、フレームシンクロナイザ＆リサイザ部１８からビデオスイッチャ１内のクロスポイント部２１に送られるとともに、フレームシンクロナイザ＆リサイザ部１８からローカルＣＰＵ１９を介してビデオスイッチャ１内の画像コンバータ３０に送られる。
【００４５】
ＳＤＩモジュール６に端子６ｂから入力したＳＤＩ信号も、全く同様にして１２８０×１０２４ピクセルのＤ１信号に変換されて、ビデオスイッチャ１内のクロスポイント部２１及び画像コンバータ３０に送られる。
【００４６】
ＳＤＩモジュール６も、スロットSlot１〜Slot３のうちのどのスロットに装着されているかに応じてビデオスイッチャ１内のメインＣＰＵ３１によって制御される。
【００４７】
ビデオスイッチャ１内のクロスポイント部２１は、各スロットSlot１〜Slot３からの最大６チャンネルの１２８０×１０２４ピクセルのデジタル映像信号の中から、操作部２（図３）での入力映像選択操作に基づくメインＣＰＵ３１の制御により、１チャンネル分ずつの映像信号をそれぞれ切替前の映像信号（ＰＧＭ入力），切替後の映像信号（ＮＥＸＴ入力），キーイング用の信号として選択して、スイッチャ・エフェクト部２２に送る。
【００４８】
スイッチャ・エフェクト部２２は、操作部２での映像切替操作やエフェクト選択操作に基づくメインＣＰＵ３１の制御により、映像の切替や加工（ワイプ等のエフェクトや、キーイング）を行う。
【００４９】
スイッチャ・エフェクト部２２で切替や加工を行うことによって生成された映像信号（ＰＧＭ出力）は、操作部２での映像出力形態選択操作に基づくメインＣＰＵ３１の制御により、リサイザ２３によってＤ１信号またはデジタルＲＧＢ信号に変換され、Ｄ／Ａコンバータ２４，２５によってそれぞれコンポジット信号またはＳ−Ｖｉｄｅｏ信号，アナログＲＧＢ信号に変換されて、ビデオスイッチャ１の映像出力用の端子２６〜２８から出力される。また、スイッチャ・エフェクト部２２からのＰＧＭ出力と、リサイザ２３からのＤ１信号とは、映像出力形態選択操作に基づくメインＣＰＵ３１の制御により、セレクタ２９を介してＳＤモジュール４のＤＶコーデック１２やＳＤＩモジュール６のＰ／Ｓコンバータ２０にも戻され、ＳＤモジュール４の端子４ｅや４ｆやＳＤＩモジュール６の端子６ｃからＤ１信号やＳＤＩ信号として出力される。
【００５０】
画像コンバータ３０は、各スロットSlot１〜Slot３からの最大６チャンネルの１２８０×１０２４ピクセルのデジタル映像信号を、サムネイル表示用に圧縮して、メインＣＰＵ３１に送る。
【００５１】
メインＣＰＵ３１は、この圧縮映像信号を用いて、図５に示したように各チャンネルのサムネイル画像を液晶ディスプレイ３の領域Ａ１〜Ａ６に表示させるとともに、ＰＧＭ入力，ＮＥＸＴ入力として選択されたチャンネルのサムネイル画像を液晶ディスプレイ３の別の領域に表示させる。
【００５２】
なお、図示は省略するが、ビデオスイッチャ１には、小型メモリカード等の記録デバイスを装着するためのスロットも設けられている。
【００５３】
次に、このビデオスイッチャ１における入力設定処理について説明する。前述のように、操作部２では、ビデオスイッチャ１のセットアップを行うことができるだけでなく、セットアップ内容の保存及び呼び出しを行うことができる。これは、ユーザーによるセットアップの内容を示すデータを一括してメインＣＰＵ３１内のメモリに記憶し、後でそのデータを読み出して利用する（さらに、そのデータを小型メモリカードに記憶させて、別のビデオスイッチャでも利用可能にする）機能である。メインＣＰＵ３１は、この機能によって呼び出されたセットアップ内容に基づいて、ビデオスイッチャ１内の各部や、各スロットSlot１〜Slot３に装着された入力モジュールを制御する。
【００５４】
この機能の対象となるセットアップ内容には、“各スロットSlot１〜Slot３にそれぞれどの種類の入力モジュールを装着してその入力モジュールの２つのブロックにそれぞれどの種類の映像信号を入力させ、各スロットSlot１〜Slot３からの６チャンネルの映像信号のサムネイル画像をそれぞれ液晶ディスプレイ３の領域Ａ１〜Ａ６（図５）のうちのどの領域に表示させるか”という入力設定も含まれている。
【００５５】
なお、以下では、スロットSlot１，Slot２，Slot３のうち、装着されている入力モジュールの１番目のブロック（ＳＤモジュール４ではブロック４−１、ＰＣモジュール５ではブロック５−１、ＳＤＩモジュール６ではブロック６−１）に対応する部分を「Slot1-1」，「Slot2-1」，「Slot3-1」と呼び、装着されている入力モジュールの２番目のブロック（ＳＤモジュール４ではブロック４−２、ＰＣモジュール５ではブロック５−２、ＳＤＩモジュール６ではブロック６−２）に対応する部分を「Slot1-2」，「Slot2-2」，「Slot3-2」と呼ぶことにする。この呼び方を用いると、上述の入力設定は、“各スロットSlot１〜Slot３にそれぞれどの種類の入力モジュールを装着してSlot1-1，1-2，2-1，2-2，3-1，3-2にそれぞれどの種類の映像信号を入力させ、Slot1-1，1-2，2-1，2-2，3-1，3-2からの映像信号のサムネイル画像をそれぞれ液晶ディスプレイ３の領域Ａ１〜Ａ６（図５）のうちのどの領域に表示させるか”と表現される。
【００５６】
ところが、この機能によって過去の入力設定を利用しようとしても、ビデオスイッチャ１への入力映像信号の種類は、使用されるビデオカメラやパーソナルコンピュータに依存するので、現在使用されているビデオカメラやパーソナルコンピュータに合わせて、スロットSlot１〜Slot３内の入力モジュールを他の種類の入力モジュールに交換していることが少なくない。また、別のビデオスイッチャでこの入力設定を利用する場合には、元々この入力設定とは異なる種類の入力モジュールが装着されていることが少なくない。
【００５７】
そこで、メインＣＰＵ３１は、この機能によって呼び出された入力設定に対して、図７に示すような入力設定変更処理と、図９に示すような入力設定変更処理とを実行する。
【００５８】
図７の入力設定変更処理では、入力設定データの読出し（ステップＳ１）を行った後、各スロットSlot１〜Slot３に現在装着されている入力モジュールの種類を、ＳＤモジュール４，ＰＣモジュール５，ＳＤＩモジュール６内のローカルＣＰＵ１３，１６，１９（図６）に記憶されている入力モジュールの種類別の識別情報に基づいて検出する（ステップＳ２）。
【００５９】
続いて、各スロットSlot１〜Slot３毎に、読み出した入力設定データが示す入力モジュールの種類と、現在装着されている入力モジュールの種類とが一致するか否かを判断する（ステップＳ３）。
【００６０】
一致しないスロットが存在する場合には、そのスロットに現在装着されている入力モジュールが、ＰＣモジュール５またはＳＤＩモジュール６であるか否かを判断する（ステップＳ４）。ノーであれば（ＳＤモジュール４であれば）、そのＳＤモジュール４内の各ブロック４−１，４−２内のＡ／Ｄコンバータ１０またはＤＶコーデック１２（図６）での同期検出結果をローカルＣＰＵ１３を介して取得し、その同期検出結果に基づいて、コンポジット信号，Ｓ−Ｖｉｄｅｏ信号，ＤＶ信号のうちのどの種類の映像信号がそのＳＤモジュール４の各ブロック４−１，４−２に入力されているかを判別する（ステップＳ５）。
【００６１】
そして、その判別した映像信号の種類に応じた処理をそのスロットの入力モジュールの各ブロックに実行させるように入力設定を変更して（ステップＳ６）、処理を終了する。
【００６２】
ステップＳ４でイエスであった場合には、ＰＣモジュール５，ＳＤＩモジュール６に入力する映像信号はそれぞれＲＧＢ信号，ＳＤＩ信号の１種類なので、ＰＣモジュール５であればＲＧＢ信号に応じた処理をそのスロットの入力モジュールに実行させ、ＳＤＩモジュール６であればＳＤＩ信号に応じた処理をそのスロットの入力モジュールに実行させるように入力設定を変更して（ステップＳ７）、処理を終了する。
【００６３】
ステップＳ３でイエスであった場合には、入力設定を変更しなくても各スロットSlot１〜Slot３の入力モジュールが正常に入力映像信号を処理することができるので、そのまま処理を終了する。
【００６４】
図８は、この図７の入力設定変更処理によって入力設定を変更した例として、図８（ａ）のように、スロットSlot１にＰＣモジュール５が装着され、スロットSlot１からの映像信号の画像を液晶ディスプレイ３の領域Ａ１（図５）に表示させている状態で記憶した入力設定を、図８（ｂ）のように、スロットSlot１内の入力モジュールがＳＤモジュール４に交換された後で読み出した（あるいは、スロットSlot１にＳＤモジュール４が装着されている別のビデオスイッチャで読み出した）場合において、そのＳＤモジュール４のブロック４−１にＳ−Ｖｉｄｅｏ信号が入力された場合の例を示す図である。（Slot1-1は、前述のように、スロットSlot１のうち、装着されている入力モジュールの１番目のブロックに対応する部分である）。この図８（ａ）及び（ｂ）の状態は、図２（ａ）及び（ｂ）に示したスロットＢの状態と同じである。
【００６５】
この場合、図７の処理ではステップＳ３からステップＳ４，Ｓ５に進み、ステップＳ５で、そのＳＤモジュール４のブロック４−１への入力映像信号がＳ−Ｖｉｄｅｏ信号であることが自動的に判別された後、ステップＳ６で、Ｓ−Ｖｉｄｅｏ信号に応じた処理をそのＳＤモジュール４のブロック４−１に実行させるように入力設定が自動的に変更される。すなわち、ユーザーが、スロットSlot１に装着されているＳＤモジュール４のブロック４−１にＳ−Ｖｉｄｅｏ信号が入力されていることをＳＤモジュール４とビデオカメラとの接続状態等から確認したり、操作部２を操作して手動でスロットSlot1-1の入力設定をＳ−Ｖｉｄｅｏ信号に変更したりすることなく、現在の入力映像信号の種類に応じて入力設定が自動的に変更される。
【００６６】
これにより、そのＳＤモジュール４のブロック４−１では、入力映像信号の種類が図７の入力設定変更処理によるＳ−Ｖｉｄｅｏ信号と一致するので、入力されるＳ−Ｖｉｄｅｏ信号を処理できるようになる。その結果、図８（ｃ）に示すように、スロットSlot1-1からのＳ−Ｖｉｄｅｏ信号のサムネイル画像が液晶ディスプレイ３の領域Ａ１に表示されるとともに、そのＳ−Ｖｉｄｅｏ信号を切り替えて出力することができるようになる。
【００６７】
このように、このビデオスイッチャ１では、過去の入力設定を利用することができるとともに、図７の入力設定変更処理により、現在の入力映像信号の種類に応じて入力設定を自動的に変更することができる。
【００６８】
図９の入力設定変更処理では、図７の入力設定変更処理のステップＳ１〜Ｓ３と同じ処理（ステップＳ１１〜Ｓ１３）を行った後、一致しないスロットが存在すると判断した場合、一致しないスロットに対し、前述のSlot1-1，1-2，2-1，2-2，3-1，3-2の番号の順に、１スロットずつステップＳ１４〜Ｓ１９のループ処理を行う。
【００６９】
このループ処理における各スロットに対する処理は、次のとおりである。まず、ステップＳ１１で読み出した入力設定データにおいてそのスロットに装着されていた入力モジュールと同じ種類の入力モジュールが、現在他のスロットに装着されているか否かを、前述の入力モジュールの種類別の識別情報に基づいて探す（ステップＳ１５）。
【００７０】
同じ種類の入力モジュールがみつかった場合には、その入力モジュールが装着されている上記「他のスロット」では、ステップＳ１１で読み出した入力設定データが示す入力モジュールの種類と、現在装着されている入力モジュールの種類とが一致するか否かを判断する（ステップＳ１６）。ノーであれば、上記「他のスロット」に対して、次のステップＳ１８での入力設定の変更を既に行っているか否かを判断する（ステップＳ１７）。
【００７１】
ノーであれば、液晶ディスプレイ３の領域Ａ１〜Ａ６（図５）のうち、ステップＳ１１で読み出した入力設定データにおいて、ステップＳ１３で一致しないと判断されたスロットからの映像信号が表示されていた領域に、上記「他のスロット」からの映像信号を代替して表示させるように入力設定を変更する（ステップＳ１８）。
【００７２】
この、ループ処理が終わると、処理を終了する。ステップＳ１３でイエスであった場合や、ステップＳ１５でノーであった場合や、ステップＳ１６またはＳ１７でイエスであった場は、そのまま処理を終了する。
【００７３】
図１０は、この図９の入力設定変更処理による入力設定の変更例を示す図である。この例では、図１０（ａ）のように、“スロットSlot１，Slot２，Slot３にそれぞれＳＤＩモジュール６，ＰＣモジュール５，ＳＤモジュール４が装着され、スロットSlot3-1，3-2にはそれぞれコンポジット信号が入力され、Slot1-1，1-2，2-1，2-2，3-1，3-2からの映像信号のサムネイル画像がそれぞれ液晶ディスプレイ３の領域Ａ１，Ａ５，Ａ６，Ａ２，Ａ３，Ａ４に表示される状態で記憶した入力設定を、図１０（ｂ）のように、スロットSlot１，Slot２，Slot３内の入力モジュールがそれぞれＰＣモジュール５，ＳＤモジュール４，ＳＤＩモジュール６に交換された後で読み出した（あるいは、スロットSlot１，Slot２，Slot３内の入力モジュールがそれぞれＰＣモジュール５，ＳＤモジュール４，ＳＤＩモジュール６が装着されている別のビデオスイッチャで読み出した）場合において、そのＳＤモジュール４のブロック４−１，４−２にそれぞれコンポジット信号が入力された場合の例を示す図である。
【００７４】
この図１０（ｂ）の状態では、前述の図７の入力設定変更処理によって各領域Ａ１〜Ａ６にサムネイル画像が表示されるが、どの種類の映像信号のサムネイル画像をどの位置の領域に表示させるかという対応関係は、図１０（ａ）の状態とは異なるものになってしまう。
【００７５】
この場合、図９の処理ではステップＳ１３からステップＳ１４〜Ｓ１９のループ処理に進み、このループ処理により、図１０（ｃ）に示すように、映像信号の種類と領域Ａ１〜Ａ６との対応関係が、図１０（ａ）の状態と同じになるように入れ替えられる。
【００７６】
これにより、どの種類の映像信号のサムネイル画像をどの位置の領域に表示させるかという対応関係が、自動的に一定の関係に維持される。
【００７７】
次に、メインＣＰＵ３１が実行する入力設定変更処理の別の例を、図１１を用いて説明する。この図１１の入力設定変更処理では、図７の入力設定変更処理のステップＳ１〜Ｓ５と同じ処理（ステップＳ２１〜Ｓ２５）を行うとともに、ステップＳ２４でイエスとなった後及びステップＳ２５の処理を行った後に、ステップＳ２３で一致しないと判断したスロットに対して、図９の入力設定変更処理のステップＳ１５及びＳ１６に相当する処理（ステップＳ２６及びＳ２７）を行う。
【００７８】
そして、ステップＳ２６及びＳ２７の処理と、ステップＳ２５での映像信号の種類の判別結果に基づき、図１２に例示するような入力設定変更推奨画面を液晶ディスプレイ３に表示させる（ステップＳ２８）。そして処理を終了する。
【００７９】
この図１２の入力設定変更推奨画面の左端の縦列の数字１〜６は、液晶ディスプレイ３の領域Ａ１〜Ａ６（図５）を表している。この入力設定変更推奨画面では、ステップＳ２６及びＳ２７の処理の結果に基づき、図１０に例示したように映像信号の種類と液晶ディスプレイ３の各領域Ａ１〜Ａ６との対応関係を一定に維持するための入力設定の変更を推奨するとともに、ステップＳ２５で映像信号の種類を判別したスロットについては、入力設定をその判別した種類の映像信号に変更することを推奨する表示を行う。図１２には、領域Ａ１にSlot1-2からの映像信号のサムネイル画像を表示させるとともに、このSlot1-2の入力設定をＤＶ信号に変更することを推奨する表示が行われている状態を示している。
【００８０】
ユーザーは、図１２のような入力設定変更推奨画面の表示状態から、映像信号の種類と領域Ａ１〜Ａ６との対応関係を一定に維持するためにはどの領域でどのスロットからの映像信号のサムネイル画像を表示させればよいかを容易且つ瞬時に確認して、スロットSlot1-2からの映像信号のサムネイル画像を領域Ａ１に表示させるように入力設定を変更する操作を操作部２で行うことができる。またユーザーは、この表示状態から、スロットSlot１に装着されているＳＤモジュール４のブロック４−２にＤＶ信号が入力されていることを、ＳＤモジュール４とビデオカメラとの接続状態等から確認する作業を行うことなく容易且つ瞬時に確認して、Slot1-2の入力設定をＤＶ信号に変更する操作を操作部２で行うことができる。
【００８１】
ユーザーが図１２の表示状態で推奨どおりに入力設定を変更した場合には、領域Ａ１以外の領域Ａ２〜Ａ５についてこの入力設定変更推奨画面で推奨表示するスロットからは、スロットSlot1-2は除外される（図９のステップＳ１７でイエスになった場合に相当する）。
【００８２】
なお、図１１の入力設定変更処理では、図７の入力設定変更処理による映像信号の種類の判別と図９の入力設定変更処理による代替スロットの探索との両方を実行して推奨画面を表示している。しかし、これに限らず、図７の入力設定変更処理による映像信号の種類の判別のみを行って、入力設定をその判別した種類の映像信号に変更することを推奨する表示を行うようにしてもよい。
【００８３】
また、以上の例では、コンポジット信号，Ｓ−Ｖｉｄｅｏ信号，ＤＶ信号のうちの任意の１種類の映像信号を入力可能なＳＤモジュールが装着されるビデオスイッチャに本発明を適用しているが、本発明は、入力映像信号の種類によって処理内容が異なる入力モジュールが装着されるあらゆる映像切替装置に適用することができる。
【図面の簡単な説明】
【００８４】
【図１】従来のビデオスイッチャの入力設定変更処理の内容を示す図である。
【図２】従来のビデオスイッチャで入力映像が表示されなくなる状態を例示した図である。
【図３】本発明を適用したビデオスイッチャの全体の外観を示すブロック図である。
【図４】図３のビデオスイッチャの背面側のスロットと、このスロットに装着される入力モジュールとの外観を示す図である。
【図５】図３の液晶ディスプレイの画面上の、入力映像信号のサムネイル画像の表示領域を示す図である。
【図６】図３のビデオスイッチャ及び図４の入力モジュールの内部構成を示すブロック図である。
【図７】図６のメインＣＰＵによる入力設定変更処理を示すフローチャートである。
【図８】図７の処理によって入力設定を変更した例を示す図である。
【図９】図６のメインＣＰＵによる入力設定変更処理を示すフローチャートである。
【図１０】図９の処理によって入力設定を変更した例を示す図である。
【図１１】入力設定変更処理の別の例を示すフローチャートである。
【図１２】図１１の処理による入力設定変更推奨画面を例示する図である。
【符号の説明】
【００８５】
１  ビデオスイッチャ、  ２  操作部、  ３  液晶ディスプレイ、  ４  ＳＤモジュール、  ５  ＰＣモジュール、  ６  ＳＤＩモジュール、  １０  Ａ／Ｄコンバータ、
１１  フレームシンクロナイザ＆リサイザ部、  １２  ＤＶコーデック、  ２１  クロスポイント部、  ２２  スイッチャ・エフェクト部、  ３０  画像コンバータ、  ３１  メインＣＰＵ、  Slot１，Slot２，Slot３  スロット
【図１】
2008072235.tif 000003
【図２】
2008072235.tif 000004
【図３】
2008072235.tif 000005
【図４】
2008072235.tif 000006
【図５】
2008072235.tif 000007
【図６】
2008072235.tif 000008
【図７】
2008072235.tif 000009
【図８】
2008072235.tif 000010
【図９】
2008072235.tif 000011
【図１０】
2008072235.tif 000012
【図１１】
2008072235.tif 000013
【図１２】
2008072235.tif 000014